(57)【要約】      （修正有）【課題】構成型１，４−ジオキサン分解菌Ｎ２３株による効率的な有機化合物の処理方法の提供。【解決手段】ｐＨ３．０以上５．５以下の条件下において、受託番号ＮＩＴＥ  ＢＰ−０２０３２として寄託された構成型１，４−ジオキサン分解菌であるＮ２３株により、有機化合物を生分解処理する生分解処理方法。有機化合物が、１，４−ジオキサン、１，３−ジオキソラン、２−メチル−１，３−ジオキソラン、テトラヒドロフランのいずれか１種以上を含む。【選択図】図３
2019000831.tif 000002
【特許請求の範囲】
【請求項１】
ｐＨ３．０以上５．５以下の条件下において、受託番号ＮＩＴＥ  ＢＰ−０２０３２として寄託された構成型１，４−ジオキサン分解菌であるＮ２３株により、有機化合物を生分解処理することを特徴とする生分解処理方法。
【請求項２】
前記有機化合物が、環状エーテルを含むことを特徴とする請求項１に記載の生分解処理方法。
【請求項３】
前記有機化合物が、１，４−ジオキサン、１，３−ジオキソラン、２−メチル−１，３−ジオキソラン、テトラヒドロフランのいずれか１種以上を含むことを特徴とする請求項１または２に記載の生分解処理方法。
【請求項４】
エチレングリコール、ジエチレングリコール、１，４−ブタンジオール、１，４−ジオキサンのいずれか１種以上を炭素源として加えることを特徴とする請求項１〜３のいずれかに記載の生分解処理方法。
【請求項５】
前記有機化合物が、エチレングリコール、ジエチレングリコール、１，４−ブタンジオールのいずれか１種以上を含むことを特徴とする請求項１に記載の生分解処理方法。
【請求項６】
フェッドバッチプロセスであることを特徴とする請求項１〜５のいずれかに記載の生分解処理方法。
【請求項７】
連続プロセスであることを特徴とする請求項１〜５のいずれかに記載の生分解処理方法。
【発明の詳細な説明】
【技術分野】
【０００１】
本発明は、構成型１，４−ジオキサン分解菌Ｎ２３株を利用した有機化合物の生分解処理方法に関する。
【背景技術】
【０００２】
１，４−ジオキサンは、下記式（１）で表される環状エーテルである。１，４−ジオキサンは、水や有機溶媒との相溶性に優れており、主に有機合成の反応溶剤として使用されている。
【０００３】
【化１】
2019000831.tif 000003
【０００４】
２０１０年度の日本国における１，４−ジオキサンの製造・輸入量は、約４５００ｔ／年であり、約３００ｔ／年が環境中へ放出されたと推測される。１，４−ジオキサンは、水溶性であるため、水環境中へ放出されると広域に拡散してしまう。また、揮発性、固体への吸着性、光分解性、加水分解性、生分解性がいずれも低いため、水中からの除去が困難である。１，４−ジオキサンは急性毒性及び慢性毒性を有する上、発がん性も指摘されていることから、１，４−ジオキサンによる水環境の汚染は、人や動植物に悪影響を及ぼすことが懸念されている。そのため、日本国では、水道水質基準（０．０５ｍｇ／Ｌ以下）、環境基準（０．０５ｍｇ／Ｌ以下）及び排水基準（０．５ｍｇ／Ｌ以下）により、１，４−ジオキサンの規制がなされている。
【０００５】
また、非特許文献１には、１，４−ジオキサンを含む産業廃水には、１，４−ジオキサンの他に１，３−ジオキソラン及び２−メチル−１，３−ジオキソランといった環状エーテルが含まれていることが報告されている。特に１，３−ジオキソランは、急性毒性等の毒性が確認されており、１，３−ジオキソランを含む汚染水等は適切に処理しなければならない。
【０００６】
従来の活性汚泥法や活性炭吸着法等の処理方法では、水中から１，４−ジオキサン等の環状エーテルを十分に除去することができない。例えば、１，４−ジオキサンは、過酸化水素を添加してのオゾン処理（Ｏ３／Ｈ２Ｏ２）、紫外線照射下でのオゾン処理（Ｏ３／ＵＶ）、放射線や超音波照射下でのオゾン処理等、複数の物理化学的な酸化方法を併用する促進酸化法においてのみ、処理の有効性が確認されている。しかし、促進酸化法はイニシャルコスト及びランニングコストが高いことから普及に至っていない。また、非特許文献２には、１，４−ジオキサン以外の有機物が存在すると、促進酸化法による１，４−ジオキサンの処理効率が低下することが報告されている。
【０００７】
低コストかつ安定的に１，４−ジオキサン等の環状エーテルを含む水を処理する方法が求められており、特許文献１、非特許文献３では、１，４−ジオキサン分解菌による１，４−ジオキサン処理が提案されている。１，４−ジオキサン分解菌は、１，４−ジオキサンを単一炭素源として分解する菌（資化菌）と、テトラヒドロフラン等の特定の基質の存在下にて１，４−ジオキサンを分解できる菌（共代謝菌）の２種類に大別される。そのため、地下水や廃水等に含まれる１，４−ジオキサンを１，４−ジオキサン分解菌で処理す
る場合、特定の基質を添加する必要がない資化菌を活用する方が効率的である。
【０００８】
資化菌は、さらに１，４−ジオキサン分解酵素の誘導の有無によって、誘導型と構成型に分けられる。非特許文献４に記載されているように、誘導型１，４−ジオキサン分解菌は、１，４−ジオキサンなどの誘導物質が存在することで分解酵素の生産・分泌がされるため、１，４−ジオキサン処理に用いる前に予め馴養する必要がある。一方、構成型１，４−ジオキサン分解菌は、常時、分解酵素を生産しているため、馴養することなく、直ちに１，４−ジオキサン処理に用いることができる。
【０００９】
ここで、１，４−ジオキサン分解菌は増殖が極めて遅く、他の微生物が混入していると他の微生物が優先的に増殖してしまう。そのため、１，４−ジオキサン分解菌を培養するには、他の微生物が混入しないように、事前に培養装置や培地を十分に滅菌する必要がある。滅菌処理には、オートクレーブを用いる蒸気滅菌、オーブン等で加熱する乾熱滅菌、ガンマ線を用いる放射線滅菌、エチレンオキサイドガスを用いる化学滅菌等の方法がある。しかし、滅菌のための設備が大規模になりすぎる、エネルギーコストがかかりすぎる、使用する薬品量が膨大となりコスト・安全性の点で問題がある等、いずれの滅菌方法も、大規模スケールで行うことは困難である。
【００１０】
本願発明者らは、特許文献２において、ジエチレングリコールを含む培地を用いて１，４−ジオキサン分解菌を増やす１，４−ジオキサン分解菌の培養方法を提案した。１，４−ジオキサン分解菌は、他の微生物と比較してジエチレングリコールを炭素源として利用する能力に優れているため、ジエチレングリコールを含有する培地を用いることにより、滅菌処理を行うことなく、他の微生物が生息している条件下でも優先的に増殖することができる。
【００１１】
さらに、本発明者らは、特許文献３において、構成型１，４−ジオキサン分解菌であるＮ２３株を報告している。Ｎ２３株は、これまでに報告されている構成型１，４−ジオキサン分解菌の中で、最も高い１，４−ジオキサン最大比分解速度を示し、１，４−ジオキサンを始めとする環状エーテルの生分解に非常に有望である。
Ｎ２３株は、１，４−ジオキサン分解能を有さない微生物と比較して、１，４−ジオキサン、エチレングリコール、ジエチレングリコール、１，４−ブタンジオールを炭素源として利用する能力に優れている。また、上記したＮ２３株が炭素源として利用しやすい有機物の中で、エチレングリコールは、ｐＨ５．０以下の酸性環境下においてほとんど生分解されないことが報告されている（非特許文献５）。
【先行技術文献】
【特許文献】
【００１２】
【特許文献１】特開２００８−３０６９３９号公報
【特許文献２】特許第５８７７９１８号公報
【特許文献３】特許第６１１７４５０号公報
【００１３】
【非特許文献１】CD. Adams, PA. Scanlan and ND. Secrist: Oxidation and biodegradability enhancement of 1,4-dioxane using hydrogen peroxide and ozone, Environ. Sci. Technol., 28(11), pp.1812-1818, 1994.
【非特許文献２】K. KOSAKA, H. YAMADA, S. MATSUI, and K. SHISHIDA: The effects of the co-existing compounds on the decomposition of micropollutants using the ozone/hydrogen peroxide process, Water Sci. Technol., 42, pp.353-361, 2000.
【非特許文献３】清和成、池道彦：１，４−ジオキサン分解菌を用いた汚染地下水の生物処理・浄化の可能性，用水と廃水，Vol.53, No.7, pp.555-560, 2011.
【非特許文献４】K. Sei, K. Miyagaki, T. Kakinoki, K. Fukugasako, D. Inoue and M. Ike: Isolation and characterization of bacterial strains that have high ability to degrade 1,4-dioxane as a sole carbon and energy source, Biodegradation, 24, 5, pp.665-674, 2012.
【非特許文献５】今枝孝夫、徳弘健郎、平井正名：ＬＬＣの微生物分解システム，豊田中央研究所，Vol.34，No.3，pp.23-30，1999.
【発明の概要】
【発明が解決しようとする課題】
【００１４】
構成型１，４−ジオキサン分解菌Ｎ２３株による効率的な有機化合物の処理方法を提供することを課題とする。
【課題を解決するための手段】
【００１５】
１．ｐＨ３．０以上５．５以下の条件下において、受託番号ＮＩＴＥ  ＢＰ−０２０３２として寄託された構成型１，４−ジオキサン分解菌であるＮ２３株により、有機化合物を生分解処理することを特徴とする生分解処理方法。
２．前記有機化合物が、環状エーテルを含むことを特徴とする１．に記載の生分解処理方法。
３．前記有機化合物が、１，４−ジオキサン、１，３−ジオキソラン、２−メチル−１，３−ジオキソラン、テトラヒドロフランのいずれか１種以上を含むことを特徴とする１．または２．に記載の生分解処理方法。
４．エチレングリコール、ジエチレングリコール、１，４−ブタンジオール、１，４−ジオキサンのいずれか１種以上を炭素源として加えることを特徴とする１．〜３．のいずれかに記載の生分解処理方法。
５．前記有機化合物が、エチレングリコール、ジエチレングリコール、１，４−ブタンジオールのいずれか１種以上を含むことを特徴とする１．に記載の生分解処理方法。
６．フェッドバッチプロセスであることを特徴とする１．〜５．のいずれかに記載の生分解処理方法。
７．連続プロセスであることを特徴とする１．〜５．のいずれかに記載の生分解処理方法。
【発明の効果】
【００１６】
ｐＨが３．０以上５．５以下の酸性環境下では、他の微生物の活動が抑制されるため、Ｎ２３株による有機化合物の生分解処理を効率的に行うことができる。Ｎ２３株は、構成型１，４−ジオキサン分解菌であり、常時、分解酵素を生産している。Ｎ２３株は、馴化、誘導等することなく、環状エーテルを分解することができるため、効率的に環状エーテルの処理を行うことができる。また、Ｎ２３株は、エチレングリコール、ジエチレングリコール、１，４−ブタンジオールの生分解処理にも用いることができる。Ｎ２３株は、ｐＨ３．０以上５．５以下という広い酸性領域内で活動可能であるため、処理時のｐＨを厳密に調整する必要がなく、管理が容易である。
【００１７】
高い濃度の有機化合物を処理する場合は、Ｎ２３株は、処理対象である有機化合物を炭素源として活動することにより、生分解処理を行うことができる。低い濃度の有機化合物を処理する場合は、炭素源として、エチレングリコール、ジエチレングリコール、１，４−ブタンジオール、１，４−ジオキサンのいずれか１種以上を加えることにより、Ｎ２３株の菌体濃度を高く維持することができるため、有機化合物の生分解処理を効率的に行うことができる。
汚染水の処理を、フェッドバッチプロセスで行うと、プロセスを繰り返す毎にＮ２３株量が増加するため、１回のプロセスに必要な時間を徐々に短くすることができる。また、フェッドバッチプロセスは、汚染物の初期濃度が高く、Ｎ２３株による分解活性を高く維持することができるため、汚染物を短時間で分解することができる。汚染水の処理を、連
続プロセスで行うと、既設の浄化設備をそのまま用いることができるため低コストであり、また、生分解処理プロセスを迅速、かつ容易に構築することができる。
【図面の簡単な説明】
【００１８】
【図１】Ｎ２３株のＳＥＭ画像。
【図２】Ｎ２３株の初期１，４−ジオキサン濃度に対する比分解速度を示す図。
【図３】実験１における初期ｐＨと環状エーテル分解速度との関係を示す図。
【図４】実験２の実施例１と比較例１における１，４−ジオキサン濃度の経時変化を示す図。
【図５】実験３における異なる炭素源での初期ｐＨと菌体濃度増加量との関係を示す図。
【発明を実施するための形態】
【００１９】
以下に、本発明を詳細に説明する。
「Ｎ２３株」
本発明で使用する構成型１，４−ジオキサン分解菌Ｎ２３株（以下、Ｎ２３株という。）は、受託番号ＮＩＴＥ  ＢＰ−０２０３２として、独立行政法人  製品評価技術基盤機構  特許微生物寄託センター（ＮＰＭＤ）（日本国千葉県木更津市かずさ鎌足２−５−８（郵便番号２９２−０８１８））に、２０１５年４月１０日付で国際寄託されている。Ｎ２３株のＳＥＭ画像を図１に示す。Ｎ２３株は、グラム染色性が陽性、カタラーゼ反応が陽性である。
【００２０】
Ｎ２３株は、構成型１，４−ジオキサン分解菌であり、常時、分解酵素を生産している。一般に、構成型１，４−ジオキサン分解菌は、誘導型１，４−ジオキサン分解菌と比較して低い１，４−ジオキサン最大比分解速度を示すことが知られている。Ｎ２３株の初期１，４−ジオキサン濃度に対する比分解速度を図２に示す。
【００２１】
Ｎ２３株は、これまでに報告されている構成型１，４−ジオキサン分解菌の中で最も高い１，４−ジオキサン最大比分解速度を有し、その値は誘導型１，４−ジオキサン分解菌と同等以上である。また、Ｎ２３株は、１，４−ジオキサンを０．０１７ｍｇ／Ｌ以下の極低濃度まで分解することができ、約５２００ｍｇ／Ｌという高濃度の１，４−ジオキサンを処理することができる。
Ｎ２３株は、１，４−ジオキサン等を用いて馴養する必要がない。また、Ｎ２３株は、高い１，４−ジオキサン最大比分解速度を有し、１，４−ジオキサンを極低濃度まで分解することができ、高濃度の１，４−ジオキサンを処理することができる。そのため、Ｎ２３株は、１，４−ジオキサンの処理に好適に利用することができる。
【００２２】
Ｎ２３株は、１，４−ジオキサンだけでなく、１，３−ジオキソラン、２−メチル−１，３−ジオキソラン、テトラヒドロフラン等の環状エーテルを効率よく分解することができる。また、複数の環状エーテルを同時に処理することもできる。さらに、Ｎ２３株は、エチレングリコール、ジエチレングリコール、１，４−ブタンジオールの分解性にも優れている。そのため、Ｎ２３株は、１，４−ジオキサン、１，３−ジオキソラン、２−メチル−１，３−ジオキソラン、テトラヒドロフラン等の環状エーテル、エチレングリコール、ジエチレングリコール、１，４−ブタンジオールの生分解処理に好適に利用することができる。
【００２３】
Ｎ２３株は、ｐＨ３．０以上５．５以下の酸性環境下であっても、ほとんど活動性が低下しない。すなわち、Ｎ２３株は、ｐＨ７．０付近で最も高い１，４−ジオキサン分解活性を示すが、ｐＨ７．０における分解活性に対して、ｐＨ５．０で９割以上、ｐＨ３．８で８割以上の分解活性を維持する。それに対し、多くの微生物は、ｐＨ６．０〜８．０程
度の中性環境下が至適ｐＨである。例えば、Ｎ２３株が炭素源として利用する能力に長けている有機物の中で、エチレングリコールは、中性環境下（ｐＨ６〜８）が生分解の至適ｐＨであり、ｐＨ５．０以下の酸性環境下では、ほとんど生分解されないことが報告されている（非特許文献５）。また、酸性環境下において高い１，４−ジオキサン分解活性を発揮するジオキサン分解菌は、これまでに報告されておらず、例えば、構成型１，４−ジオキサン分解菌であるＤ１７株（受託番号ＮＩＴＥ  ＢＰ−０１９２７）は、ｐＨ８．０において最も高い分解活性を示し、ｐＨ５．０における分解活性はｐＨ８．０における分解活性の５割程度にすぎない（非特許文献４）。
【００２４】
「生分解処理方法」
本発明の生分解処理方法は、ｐＨ３．０以上５．５以下の酸性環境下において、Ｎ２３株により、有機化合物を生分解処理することを特徴とする。
生分解処理対象としては、有機化合物を含む地下水、工場排水等の汚染水、不法廃棄サイトの汚染土壌等が挙げられる。汚染水、汚染土壌等には、多種多様な微生物（以下、雑菌という）が生息している。上記したように、一般的な雑菌は、中性環境下が至適ｐＨであるため、ｐＨ３．０以上５．５以下の酸性環境下では、雑菌の活動は抑制される。ｐＨ３．０以上５．５以下の酸性環境下では雑菌の活動・増殖が抑えられ、Ｎ２３株が優先的に活動するため、Ｎ２３株による有機化合物の生分解処理を効率的に行うことができる。なお、本発明の生分解処理は、酸性環境下で行うため、生分解処理後に中性に戻す必要がある。土壌の中性化作業は大規模設備が必要であるため、汚染土壌を浄化する場合も、土壌を予め水で洗浄し、処理対象である有機化合物を水相に移行させて汚染水として処理することが好ましい。
【００２５】
Ｎ２３株を用いた汚染水中の有機化合物の生分解方法は特に制限されないが、（１）汚染水のＮ２３株による生分解処理工程、（２）Ｎ２３株を含む活性汚泥や担体等を沈殿させ、処理後の上澄みを排水する排水工程、（３）新たな汚染水を投入する汚染水投入工程を、（１）→（２）→（３）→（１）→・・・と、この順で繰り返す、いわゆるフェッドバッチプロセス、上流での汚染水の投入と下流での処理水の排水とを同量で連続的に行う連続プロセス等により行うことができる。フェッドバッチプロセスは、曝気槽での初期汚染物濃度が高いため、生分解処理速度を高く保つことができる。また、排水時にＮ２３株はほとんど流出せず、プロセスを繰り返す毎にＮ２３株量が増加するため、１回のプロセスに必要な時間を徐々に短くすることができる。連続プロセスは、既設の排水処理設備をそのまま用いることができる。
【００２６】
生分解処理する有機化合物としては、Ｎ２３株が分解できる、すなわち、炭素源として利用できるものであれば特に制限されない。例えば、１，４−ジオキサン、１，３−ジオキソラン、２−メチル−１，３−ジオキソラン、テトラヒドロフラン等の環状エーテル、エチレングリコール、ジエチレングリコール、１，４−ブタンジオール等が挙げられる。これらの中で、Ｎ２３株が常時分解酵素を分泌している環状エーテルが特に好適である。
【００２７】
以下、汚染水の場合を例にして説明する。
汚染水中に含まれる処理対象である有機化合物（以下、処理有機化合物という。）濃度が高い場合、Ｎ２３株は、汚染水に含まれる処理有機化合物を炭素源として利用し、菌体量を維持しながら、効率的に生分解処理することができる。
汚染水中の処理有機化合物濃度が低い場合は、Ｎ２３株の菌体濃度が低くなり、生分解処理の効率が低下してしまう場合がある。そのため、処理有機化合物濃度が低い場合は、炭素源としてエチレングリコール、ジエチレングリコール、１，４−ブタンジオール、１，４−ジオキサンのいずれか１種以上を汚染水中に加えることが好ましい。これらは、単独、または混合して加えることができる。これらの中で、エチレングリコールが、酸性環境下では雑菌が利用しにくく雑菌の繁殖が抑制されること、および、仮に外部へ流出した
としても中性環境下では速やかに生分解されること等から好ましい。
【００２８】
Ｎ２３株は、酸性条件下において、エチレングリコール、ジエチレングリコール、１，４−ブタンジオール、１，４−ジオキサンを炭素源として増殖することができる。そのため、処理有機化合物濃度が低い場合でも、汚染水中にこれらの１種以上を炭素源として加えることにより、Ｎ２３株の菌体濃度を高く維持することができ、Ｎ２３株による低濃度の処理有機化合物処理を効率的に行うことができる。汚染水中に炭素源を加える目安としては、処理有機化合物濃度が４００ｍｇ／Ｌ以下程度である。また、汚染水に加える炭素源の総濃度は、１０ｍｇ／Ｌ以上１００ｇ／Ｌ以下が好ましく、１００ｍｇ／Ｌ以上１０ｇ／Ｌ以下がより好ましく、２００ｍｇ／Ｌ以上５ｇ／Ｌ以下がさらに好ましい。
【実施例】
【００２９】
「Ｎ２３株」
Ｎ２３株は、ＭＧＹ培地（Ｍａｌｔ  Ｅｘｔｒａｃｔ：１０ｇ／Ｌ、グルコース：４ｇ／Ｌ、Ｙｅａｓｔ  Ｅｘｔｒａｃｔ：４ｇ／Ｌ、ｐＨ７．３）を用いて２週間培養した。この培養液を、１００００×ｇ、４℃、３分間遠心分離して集菌し、無機塩培地（培地組成：Ｋ２ＨＰＯ４：１ｇ／Ｌ、（ＮＨ４）２ＳＯ４：１ｇ／Ｌ、ＮａＣｌ：５０ｍｇ／Ｌ、ＭｇＳＯ４・７Ｈ２Ｏ：２００ｍｇ／Ｌ、ＦｅＣｌ３：１０ｍｇ／Ｌ、ＣａＣｌ２：５０ｍｇ／Ｌ、ｐＨ：７．３）を用いて二回洗浄した菌体を用いた。
【００３０】
「実験１」
ｐＨの環状エーテル分解活性への影響
１００ｍＬ容量のバッフル付三角フラスコに、液体培地（組成：５００ｍｇ／Ｌ  １，４−ジオキサン、１ｇ／Ｌ  Ｋ２ＨＰＯ４、１ｇ／Ｌ  （ＮＨ４）２ＳＯ４、５０ｍｇ／Ｌ  ＮａＣｌ、２００ｍｇ／Ｌ  ＭｇＳＯ４・７Ｈ２Ｏ、１０ｍｇ／Ｌ  ＦｅＣｌ３、５０ｍｇ／Ｌ  ＣａＣｌ２）を１９ｍＬ添加し、Ｎ２３株の菌体濃縮液を１ｍＬ加え（菌体終濃度：２００ｍｇ−ｃｅｌｌ／Ｌ）、２８℃にて回転振盪培養（１２０ｒｐｍ）を行った（ｎ＝３）。液体培地のｐＨは塩酸溶液及び水酸化ナトリウム溶液を用いてｐＨ３．８、５．０、５．９、７．０、８．２に調整した。
【００３１】
培養開始２．５時間後、１０時間後及び１２時間後にサンプリングを行い、溶液中の１，４−ジオキサン濃度をヘッドスペースガスクロマトグラフ質量分析計（島津製作所：ＧＣ／ＭＳ−ＱＰ２０１０  ＰＬＵＳ、ＴＵＲＢＯＭＡＴＲＩＸ  ＨＳ４０  以下、ヘッドスペースＧＣ／ＭＳという。）を用いて測定した。各時間ごとの１，４−ジオキサン濃度の減少速度に直線性があることを確認し、１，４−ジオキサン分解速度を算出した。また、培養前後における溶液中のｐＨを測定した。図３に初期ｐＨと分解速度の関係を、表１に培養前後のｐＨを示す。
【００３２】
【表１】
2019000831.tif 000004
【００３３】
Ｎ２３株は、ｐＨ７．０で最も高い１，４−ジオキサン分解速度を示した。また、Ｎ２３株は、酸性環境下において、５００ｍｇ／Ｌ濃度の１，４−ジオキサンを生分解できることが確かめられた。Ｎ２３株は、ｐＨ７．０における分解活性に対して、ｐＨ５．９、５．０で９割以上、ｐＨ３．８で８割以上の分解活性を維持していることが確認できた。
また、培養後にｐＨが低下していることが確認できた。これは、１，４−ジオキサンの分解により、中間代謝物であるグリオキシル酸が生じたためであると考えられる。
【００３４】
「実験２」
環状エーテルのフェッドバッチプロセスによる生分解処理
実施例１
容量１．２Ｌの液槽に、１，４−ジオキサンを含む模擬廃水０．９Ｌと栄養剤（組成の終濃度：１ｇ／Ｌ  Ｋ２ＨＰＯ４、１ｇ／Ｌ  （ＮＨ４）２ＳＯ４、２００ｍｇ／Ｌ  ＭｇＳＯ４・７Ｈ２Ｏ、１０ｍｇ／Ｌ  ＦｅＣｌ３、５０ｍｇ／Ｌ  ＣａＣｌ２）を加え、Ｎ２３株を菌体濃度が９７０ｍｇ−ｃｅｌｌ／Ｌとなるように加え液量を１Ｌとした。
この廃水を、ｐＨコントローラーを用いてｐＨ５．０とし、１Ｌ／ｍｉｎのエアレーションを行いながら２４時間、３０℃にて生分解処理を行った。２４時間の生分解処理後、エアレーションを停止して、Ｎ２３株を含む活性汚泥を沈殿させ、上澄みを０．９Ｌ排水した。その後、新たに模擬廃水０．９Ｌと栄養剤を加え、同様の生分解処理を繰り返すフェッドバッチプロセスを８日間行った。
【００３５】
比較例１
ｐＨを７．０とした以外は、上記実施例１と同様にフェッドバッチプロセスを行った。
【００３６】
「環状エーテル濃度」
実施例１、比較例１において、液槽中の水の１，４−ジオキサン濃度をヘッドスペースＧＣ／ＭＳにて測定した。１，４−ジオキサン濃度の測定結果を、図４に示す。
実施例１、比較例１のいずれも、８日間の実験期間を通じて、フェッドバッチプロセスにより１，４−ジオキサンを安定的に分解することができた。すなわち、Ｎ２３株は、ｐＨ５．０の酸性環境下において、ｐＨ７．０の中性環境下と同様に、環状エーテルである１，４−ジオキサンの生分解処理が可能であることが確かめられた。また、実施例１、比較例１のいずれも、プロセスを経る毎に菌体量が増加したため、処理能力が向上した。
【００３７】
「実験３」
有機化合物の生分解処理
３００ｍｌ容量のフラスコに、ｐＨ３．６〜７．９に調整した栄養塩培地（組成：０．５ｇ／Ｌ  Ｋ２ＨＰＯ４、５ｇ／Ｌ  酵母エキス）を加えた後、炭素源を４ｇ／Ｌになるように添加し、液量を１００ｍＬとした。その後、Ｎ２３株を７０ｍｇ−ｃｅｌｌ／Ｌになるように添加し、２８℃、１２０ｒｐｍにて、回転振盪培養を行った（ｎ＝１）。炭素源としては、エチレングリコール、ジエチレングリコール、１，４−ブタンジオールを用いた。図５に、７日間の培養により増加した菌体濃度を示す。
【００３８】
Ｎ２３株が、４ｇ／Ｌ濃度のエチレングリコール、ジエチレングリコール、１，４−ブタンジオールを炭素源として、ｐＨ３．０〜５．０の酸性環境下で増殖できることが確かめられた。そして、Ｎ２３株は、構成型１，４−ジオキサン分解菌であり、常時、分解酵素を生産しているため、これらを炭素源とすることにより、Ｎ２３株による環状エーテルの生分解処理ができることが確かめられた。
【図１】
2019000831.tif 000005
【図２】
2019000831.tif 000006
【図３】
2019000831.tif 000007
【図４】
2019000831.tif 000008
【図５】
2019000831.tif 000009